(57)【特許請求の範囲】
【請求項１】
車載用ナビゲーション装置と車両用メータ装置を含み、その双方に同じ地図データに基づく地図情報を表示する車両用表示システムにおいて、
前記車載用ナビゲーション装置は、
前記車載用ナビゲーション装置に含まれる表示器に表示するためのナビ表示用文字列を記憶する文字列記憶手段と、
前記ナビ表示用文字列をメータ表示用文字列に変換する文字列変換手段と、
前記メータ表示用文字列を前記車両用メータ装置に送る送信手段とを有し、
前記車両用メータ装置は、
前記送信されてきたメータ表示用文字列を受信する受信手段と、
前記受信されたメータ表示用文字列を前記地図情報に重ねて表示するためのナビゲーション表示領域を有することを特徴とする車両用表示システム。
【請求項２】
車載用ナビゲーション装置と車両用メータ装置を含み、その双方に同じ地図データに基づく地図情報を表示する車両用表示システムにおいて、
前記車載用ナビゲーション装置は、
前記車載用ナビゲーション装置に含まれる表示器に表示するためのナビ表示用文字列を記憶する文字列記憶手段と、
前記ナビ表示用文字列を前記車両用メータ装置に送る送信手段とを有し、
前記車両用メータ装置は、
前記送信されてきたナビ表示用文字列を受信する受信手段と、
前記受信されたナビ表示用文字列をメータ表示用文字列に変換するメータ文字列変換手段と、
前記変換されたメータ表示用文字列を前記地図情報に重ねて表示するためのナビゲーション表示領域を有することを特徴とする車両用表示システム。
【請求項３】
車載用ナビゲーション装置と車両用メータ装置を含み、その双方に同じ地図データに基づく地図情報を表示する車両用表示システムにおいて、
前記車載用ナビゲーション装置は、
前記車載用ナビゲーション装置に含まれる表示器に表示するためのナビ表示用文字列を記憶する文字列記憶手段と、
前記ナビ表示用文字列を所定の文字列に変換する文字列変換手段と、
前記所定の文字列を前記車両用メータ装置に送る送信手段とを有し、
前記車両用メータ装置は、
前記送信されてきた所定の文字列を受信する受信手段と、
前記受信された所定の文字列をメータ表示用文字列に変換するメータ文字列変換手段と、
前記変換されたメータ表示用文字列を前記地図情報に重ねて表示するためのナビゲーション表示領域を有することを特徴とする車両用表示システム。
【請求項４】
前記文字列変換手段は前記ナビ表示用文字列の文字数を変換する請求項１または３に記載の車両用表示システム。
【請求項５】
前記文字列変換手段は前記ナビ表示用文字列の表示意匠を変換する請求項１，３，４のいずれか１項に記載の車両用表示システム。
【請求項６】
前記文字列変換手段は文字列変換データベースを含み、前記文字列変換データベースに基づいて前記ナビ表示用文字列を変換する請求項１，３ないし５のいずれか１項に記載の車両用表示システム。
【請求項７】
前記文字列変換データベースは文字列の変換ランクを含み、前記文字列変換手段は前記変換ランクに基づいて前記ナビ表示用文字列を変換する請求項６に記載の車両用表示システム。
【請求項８】
前記文字列変換データベースは前記ナビ表示用文字列および前記メータ表示用文字列を含む請求項６または７に記載の車両用表示システム。
【請求項９】
前記車載用ナビゲーション装置は電子地図データを記憶する地図データ記憶手段を有し、前記文字列変換データベースは、前記地図データ記憶手段に含まれる請求項６ないし８のいずれか１項に記載の車両用表示システム。
【請求項１０】
車両の動的な情報を取得する動的情報取得手段を有し、前記文字列変換手段は、前記取得された動的情報に基づいて前記ナビ表示用文字列を変換する請求項１，３ないし９のいずれか１項に記載の車両用表示システム。
【請求項１１】
前記メータ文字列変換手段は前記受信されたナビ表示用文字列あるいは所定の文字列の文字数を変換する請求項２または３に記載の車両用表示システム。
【請求項１２】
前記メータ文字列変換手段は前記受信されたナビ表示用文字列あるいは所定の文字列の表示意匠を変換する請求項２，３，１１のいずれか１項に記載の車両用表示システム。
【請求項１３】
前記メータ文字列変換手段はメータ文字列変換データベースを含み、前記メータ文字列変換データベースに基づいて前記受信されたナビ表示用文字列あるいは所定の文字列を変換する請求項２，３，１１，１２のいずれか１項に記載の車両用表示システム。
【請求項１４】
前記メータ文字列変換データベースは文字列の変換ランクを含み、前記メータ文字列変換手段は前記変換ランクに基づいて前記受信されたナビ表示用文字列あるいは所定の文字列を変換する請求項１３に記載の車両用表示システム。
【請求項１５】
車両の動的な情報を取得する動的情報取得手段を有し、前記メータ文字列変換手段は、前記取得された動的情報に基づいて前記受信されたナビ表示用文字列あるいは所定の文字列を変換する請求項２，３，１１ないし１４のいずれか１項に記載の車両用表示システム。
【発明の詳細な説明】
【技術分野】
【０００１】
本発明は、車両用表示システムに関するものである。
【背景技術】
【０００２】
近年、車両の計器パネルの表示装置として、従来の機械式メータの他に液晶等の画像表示装置も用いられている。画像表示装置には、表示のデザインやレイアウトを自在に設定できるという利点がある。
【０００３】
そこで、従来のメータ表示に加えて、この表示装置において車載用ナビゲーション装置の画面表示を行なう車両用表示装置も考案されている。しかし、車載用ナビゲーション装置の画面表示が行なわれる領域は、通常の車載用ナビゲーション装置の画面よりも小さい場合があり、市町村名、道路名などの文字を表示する場合、表示装置の大きさにかかわらずその文字を同じように表示すると、文字の判読が困難になる場合がある。
【０００４】
そこで、表示装置の大きさすなわち地図のスケールが異なった場合でも、文字の判読を容易にする地図表示装置が考案されている（特許文献１参照）。
【０００５】
【特許文献１】特開平１０−０９１０６３号公報
【発明の開示】
【発明が解決しようとする課題】
【０００６】
特許文献１の地図表示装置では、車載用ナビゲーション装置単体において地図の縮尺に応じて、文字列を変更したり、文字数を変更してユーザに見やすい地図表示を得るものであるが、他の装置と連携するものではない。
【０００７】
また、文字列の変換を行なったとしても、メータにおける車載用ナビゲーション装置の画面表示において、文字列が重なって表示されることもありうる等、文字の判読を十分容易にするものではない。
【０００８】
上記問題を背景として、本発明の課題は、ユーザに見やすい地図情報を提供する車両用表示システムを提供することにある。
【課題を解決するための手段および発明の効果】
【０００９】
本発明は、上記課題を解決するための車両用表示システムを提供するものである。すなわち、請求項１によれば、車載用ナビゲーション装置と車両用メータ装置を含み、その双方に同じ地図データに基づく地図情報を表示する車両用表示システムにおいて、車載用ナビゲーション装置は、車載用ナビゲーション装置に含まれる表示器に表示するためのナビ表示用文字列を記憶する文字列記憶手段と、ナビ表示用文字列をメータ表示用文字列に変換する文字列変換手段と、メータ表示用文字列を車両用メータ装置に送る送信手段とを有し、車両用メータ装置は、送信されてきたメータ表示用文字列を受信する受信手段と、受信されたメータ表示用文字列を地図情報に重ねて表示するためのナビゲーション表示領域を有することを特徴とする車両用表示システムとして構成される。
【００１０】
上記構成によって、車両用メータ装置のナビゲーション表示領域が車載用ナビゲーション装置に含まれる表示器と大きさが異なる場合でも、車載用ナビゲーション装置においてナビゲーション表示領域の大きさに合う文字列に変換することで、ユーザの文字の判読を容易にすることが可能となる。
【００１１】
また、請求項２によれば、上記課題を解決するための車両用表示システムは、車載用ナビゲーション装置と車両用メータ装置を含み、その双方に同じ地図データに基づく地図情報を表示する車両用表示システムにおいて、車載用ナビゲーション装置は、車載用ナビゲーション装置に含まれる表示器に表示するためのナビ表示用文字列を記憶する文字列記憶手段と、ナビ表示用文字列を車両用メータ装置に送る送信手段とを有し、車両用メータ装置は、送信されてきたナビ表示用文字列を受信する受信手段と、受信されたナビ表示用文字列をメータ表示用文字列に変換するメータ文字列変換手段と、変換されたメータ表示用文字列を地図情報に重ねて表示するためのナビゲーション表示領域を有することを特徴とする車両用表示システムとして構成される。
【００１２】
上記構成によっても、車両用メータ装置のナビゲーション表示領域が車載用ナビゲーション装置に含まれる表示器と大きさが異なる場合でも、車両用メータ装置においてナビゲーション表示領域の大きさに合う文字列に変換することで、ユーザの文字の判読を容易にすることが可能となる。
【００１３】
また、請求項３によれば、上記課題を解決するための車両用表示システムは、車載用ナビゲーション装置と車両用メータ装置を含み、その双方に同じ地図データに基づく地図情報を表示する車両用表示システムにおいて、車載用ナビゲーション装置は、車載用ナビゲーション装置に含まれる表示器に表示するためのナビ表示用文字列を記憶する文字列記憶手段と、ナビ表示用文字列を所定の文字列に変換する文字列変換手段と、所定の文字列を車両用メータ装置に送る送信手段とを有し、車両用メータ装置は、送信されてきた所定の文字列を受信する受信手段と、受信された所定の文字列をメータ表示用文字列に変換するメータ文字列変換手段と、変換されたメータ表示用文字列を地図情報に重ねて表示するためのナビゲーション表示領域を有することを特徴とする車両用表示システムとして構成される。
【００１４】
上記構成によっても、車両用メータ装置のナビゲーション表示領域が車載用ナビゲーション装置に含まれる表示器と大きさが異なる場合、車載用ナビゲーション装置で変換されて車両用メータ装置に送られてきた文字列が、ナビゲーション表示領域の大きさに合わない場合でも、車両用メータ装置でナビゲーション表示領域の大きさに合う文字列に再度変換することで、ユーザの文字の判読を容易にすることが可能となる。
【００１５】
請求項４によれば、本発明の車両用表示システムにおける文字列変換手段はナビ表示用文字列の文字数を変換する構成をとることができる。
【００１６】
上記構成によって、車両用メータ装置のナビゲーション表示領域が車載用ナビゲーション装置に含まれる表示器と大きさが異なる場合でも、ユーザの文字の判読を容易にすることが可能となる。
【００１７】
請求項５によれば、本発明の車両用表示システムにおける文字列変換手段はナビ表示用文字列の表示意匠を変換する構成をとることができる。
【００１８】
文字列の表示色，書体，装飾等の文字意匠も表示画面の大きさによってユーザの文字の判読に影響を及ぼすことがある。上記構成によって、車両用メータ装置のナビゲーション表示領域が車載用ナビゲーション装置に含まれる表示器と大きさが異なる場合でも、ユーザの文字の判読を容易にすることが可能となる。
【００１９】
請求項６によれば、本発明の車両用表示システムにおける文字列変換手段は文字列変換データベースを含み、文字列変換データベースに基づいてナビ表示用文字列を変換する構成をとることができる。
【００２０】
上記構成によって、変換対象の各文字列に対応した変換後の文字列を記憶することで、文字列変換の処理負荷が軽減され、ナビゲーション表示領域への表示に要する時間も短縮される。
【００２１】
請求項７によれば、本発明の車両用表示システムにおける文字列変換データベースは文字列の変換ランクを含み、文字列変換手段は変換ランクに基づいてナビ表示用文字列を変換する構成をとることができる。
【００２２】
車両用メータ装置のナビゲーション表示領域が車載用ナビゲーション装置に含まれる表示器よりも小さい場合、ナビゲーション表示領域に表示する文字列を取捨選択する必要もありうる。例えば、ナビゲーション表示領域の大きさによって、変換する文字列のランク付けを行なえばよい。上記構成によって、変換が必要な文字列のみ変換を行なうため、文字列変換の処理負荷が軽減され、ナビゲーション表示領域への表示に要する時間も短縮される。また、ランクによって文字列を「文字なし」の文字列に変換するようにすれば、車両用メータ装置のナビゲーション表示領域には当該文字列は表示されず、文字列が重なることも回避され文字列の判読も容易になる。
【００２３】
請求項８によれば、文字列変換データベースはナビ表示用文字列およびメータ表示用文字列を含む構成をとることができる。
【００２４】
上記構成によって、文字列変換データベースを参照して必要なメータ表示用文字列を選択するため、文字列の変換を行なうことなく車載用ナビゲーション装置から車両用メータ装置へメータ表示用文字列を送ることができる。よって、文字列変換処理は文字列変換データベースの参照処理のみとなるので、処理時間を短縮することが可能となる。
【００２５】
請求項９によれば、本発明の車両用表示システムにおける車載用ナビゲーション装置は電子地図データを記憶する地図データ記憶手段を有し、文字列変換データベースは、地図データ記憶手段に含まれる構成をとることができる。
【００２６】
電子地図データには地名等の文字列が含まれているので、上記構成によって、地名等の文字列に関連付けて文字列変換データベースを構成することで、記憶領域を効率よく使用できる。また、文字列変換データベースを参照する処理時間も短縮できる。
【００２７】
また、車載用ナビゲーション装置に表示するための文字列と電子地図データとを合わせて記憶し、別に車両用メータ装置のナビゲーション表示領域に表示するための文字列を予め作成して電子地図データと合わせて記憶するような、表示器毎に文字列と電子地図データとを合わせて記憶するデータベースを形成する構成を用いれば、車載用ナビゲーション装置において文字列変換データベースを参照して車両用メータ装置の文字列を作成して電子地図データと合わせて車両用メータ装置に送る処理を行なう必要がなく、車両用メータ装置用の電子地図データを参照して該当する領域の電子地図データ（文字列を含んでいる）を車両用メータ装置に送るだけでよいので、車載用ナビゲーション装置の処理負荷を低減することが可能となる。
【００２８】
請求項１０によれば、本発明の車両用表示システムは、車両の動的な情報を取得する動的情報取得手段を有し、文字列変換手段は、取得された動的情報に基づいてナビ表示用文字列を変換する構成をとることができる。
【００２９】
動的情報には、車両の現在位置，車速，地図の粗密や縮尺，走行道路，時間，天候，ユーザ設定等がある。これら動的情報に基づいて、表示すべき文字列の取捨選択や表示方法の変更を行なうことができ、より見栄えの良い表示を行なうことが可能となる。
【００３０】
請求項１１によれば、本発明の車両用表示システムにおけるメータ文字列変換手段は受信されたナビ表示用文字列あるいは所定の文字列の文字数を変換する構成をとることができる。
【００３１】
上記構成によって、車両用メータ装置のナビゲーション表示領域が車載用ナビゲーション装置に含まれる表示器と大きさが異なる場合でも、ユーザの文字の判読を容易にすることが可能となる。
【００３２】
請求項１２によれば、本発明の車両用表示システムにおけるメータ文字列変換手段は受信されたナビ表示用文字列あるいは所定の文字列の表示意匠を変換する構成をとることができる。
【００３３】
文字列の表示色，書体，装飾等の文字意匠も表示画面の大きさによってユーザの文字の判読に影響を及ぼすことがある。上記構成によって、車両用メータ装置のナビゲーション表示領域が車載用ナビゲーション装置に含まれる表示器と大きさが異なる場合でも、ユーザの文字の判読を容易にすることが可能となる。
【００３４】
請求項１３によれば、本発明の車両用表示システムにおけるメータ文字列変換手段はメータ文字列変換データベースを含み、メータ文字列変換データベースに基づいて受信されたナビ表示用文字列あるいは所定の文字列を変換する構成をとることができる。
【００３５】
上記構成によって、変換対象の各文字列に対応した変換後の文字列を記憶することで、文字列変換の処理負荷が軽減され、ナビゲーション表示領域への表示に要する時間も短縮される。
【００３６】
請求項１４によれば、本発明の車両用表示システムにおけるメータ文字列変換データベースは文字列の変換ランクを含み、メータ文字列変換手段は変換ランクに基づいて受信されたナビ表示用文字列あるいは所定の文字列を変換する構成をとることができる。
【００３７】
車両用メータ装置のナビゲーション表示領域が車載用ナビゲーション装置に含まれる表示器と大きさが異なる場合、ナビゲーション表示領域に表示する文字列を取捨選択する必要もありうる。例えば、ナビゲーション表示領域の大きさによって、変換する文字列のランク付けを行なえばよい。上記構成によって、変換が必要な文字列のみ変換を行なうため、文字列変換の処理負荷が軽減され、ナビゲーション表示領域への表示に要する時間も短縮される。また、ランクによって文字列を「文字なし」の文字列に変換するようにすれば、車両用メータ装置のナビゲーション表示領域には当該文字列は表示されず、文字列が重なることも回避され文字列の判読も容易になる。
【００３８】
請求項１５によれば、本発明の車両用表示システムは、車両の動的な情報を取得する動的情報取得手段を有し、メータ文字列変換手段は、取得された動的情報に基づいて受信されたナビ表示用文字列あるいは所定の文字列を変換する構成をとることができる。
【００３９】
動的情報には、車両の現在位置，車速，地図の粗密や縮尺，走行道路，時間，天候，ユーザ設定等がある。これら動的情報に基づいて、表示すべき文字列の取捨選択や表示方法の変更を行なうことができ、より見栄えの良い表示を行なうことが可能となる。
【発明を実施するための最良の形態】
【００４０】
ユーザに見やすい地図情報を提供する車両用表示システムを提供するという目的を、車載用ナビゲーション装置において、車載用ナビゲーション装置で表示するための文字列を、車両用メータ装置で表示するための文字列に変換し、その変換された文字列を車両用メータ装置で表示する構成により実現した。
【実施例】
【００４１】
以下、本発明の実施の形態を、図面に示す実施例を参照しながら説明する。図１に本発明の車両用表示システムの全体構成を示す。車両用表示システムは、メータＥＣＵ４０およびメータ５０，車載用ナビゲーション装置（以下、ナビゲーション装置と略称する）１００を含んで構成されている。メータＥＣＵ４０とナビゲーション装置１００とは車内ＬＡＮ（Local  Area  Network）２７によって接続されている。また、データの内容によって車内ＬＡＮ２７を介さず専用のケーブルによってデータを伝送する構成としてもよい。
【００４２】
図２はメータＥＣＵ４０およびメータ５０の構成を示したブロック図である。メータＥＣＵ４０は、制御部４１と、その制御部４１に入出力回路であるＩ／Ｏ４２を介して接続される、描画部４３，ＬＡＮ  Ｉ／Ｆ４４，外部メモリ４５を含んで構成される。
【００４３】
本発明のメータ文字列変換手段である制御部４１は周知のＣＰＵ４１ａ，ＲＯＭ４１ｂ，ＲＡＭ４１ｃ，および図示しないＡ／Ｄ変換回路等の周辺回路を含んで構成される。ＲＯＭ４１ｂにはメータＥＣＵ４０で行なわれる各種処理を実行するためのメータ制御プログラム４１ｐおよびデータが記憶されている。
【００４４】
描画部４３は、車内ＬＡＮ２７等から取得したメータ表示に必要なデータに基づいて、メータ５０に表示させるための描画データを生成するもので、表示用のデータや表示色のデータも記憶されている。取得するデータは、例えばエンジン水温，エンジン回転数，車速，シフトポジション，走行距離，日時，残燃料等である。
【００４５】
本発明の受信手段であるＬＡＮ  Ｉ／Ｆ４４は車内ＬＡＮ２７とのデータの遣り取りを行なうためのインターフェース回路である。
【００４６】
本発明の文字列記憶手段，メータ文字列変換データベースである外部メモリ４５はＥＥＰＲＯＭ（Electrically  Erasable  ＆  Programmable  Read  Only  Memory：電気的消去・プログラム可能・読出し専用メモリ）やフラッシュメモリ等の書き換え可能な半導体メモリによって構成され、メータＥＣＵ４０の動作に必要な情報およびデータが記憶されている。なお、外部メモリ４５は、メータＥＣＵ４０がオフ状態になっても、記憶内容が保持されるようになっている。
【００４７】
メータ５０はマイク５１，スピーカ５２，ＬＥＤ５３，表示器５４を含んで構成され、メータＥＣＵ４０からの描画データを表示する。
【００４８】
マイク５１は例えば、ナビゲーション装置１００の音声入力装置の一部として使用する。マイク５１に入力された音声データは車内ＬＡＮ２７を介さず直接ナビゲーション装置１００に送られる構成としてもよい。
【００４９】
スピーカ５２は各種車載機器からの音声メッセージを送出するもので、ナビゲーション装置１００の音声メッセージも送出される。なお、スピーカ５２とナビゲーション装置１００とは車内ＬＡＮ２７を介さず直接接続される構成としてもよい。
【００５０】
ＬＥＤ５３は方向指示灯，動作モニタ灯や警告灯などの、主に不定期で表示が行なわれるものに用いられる。
【００５１】
表示器５４は周知のカラー液晶表示等のパネル５４ａ，バックライト５４ｂ，および液晶表示制御を行なうための図示しないドライバ回路を含んで構成されている。ドライバ回路は、例えば、画素毎にトランジスタを付けて目的の画素を確実に点灯させたり消したりすることができるアクティブマトリックス駆動方式が用いられ、メータＥＣＵ４０から送られる描画指令および描画データに基づいて表示を行なう。また、表示器５４として有機ＥＬ（ElectroLuminescence：電界発光）表示器，プラズマ表示器を用いてもよい。また、ナビゲーション表示領域６６（図１０参照）以外を周知の機械式メータとする構成としてもよい。
【００５２】
図４にメータ５０の断面図を示す。表示器５４，ドライバ回路等が含まれるメータ基板５８，ＬＥＤ５３（図示せず）等がケース５７に収納されダッシュパネルの所定の位置に取り付けられる。ケースの上下は、主として光の反射や映り込みを抑制してメータ５０の視認性を向上させるためのメータフード５５で覆われている。また、表示器５４の前面には運転者が見やすい適切な倍率で表示させるためのレンズ５６が取り付けられている。
【００５３】
図３はナビゲーション装置１００の構成を示すブロック図である。ナビゲーション装置１００は、位置検出器１，地図データ入力器６，操作スイッチ群７，リモートコントロール（以下リモコンと称する）センサ１１，音声案内などを行なう音声合成回路２４およびスピーカ１５，不揮発メモリ９，表示器１０，ハードディスク装置（ＨＤＤ）２１，これらの接続された制御回路８，リモコン端末１２を備えている。
【００５４】
位置検出器１は、周知の地磁気センサ２，ジャイロスコープ３，距離センサ４，および衛星からの電波に基づいて車両の位置を検出するＧＰＳ受信機５を有している。これらのセンサ等２，３，４，５は各々が性質の異なる誤差を持っているため、複数のセンサにより各々補完しながら使用するように構成されている。なお、精度によっては前述したうちの一部のセンサで構成してもよく、さらに、ステアリングの回転センサや各転動輪の車輪センサ例えば車速センサ２３等を用いてもよい。
【００５５】
操作スイッチ群７は、例えば表示器１０と一体になったタッチパネル２２もしくはメカニカルなスイッチが用いられる。タッチパネル２２は、表示器１０の画面上にガラス基盤と透明なフィルムにスペーサと呼ばれる隙間を介してＸ軸方向、Ｙ軸方向に電気回路が配線され、フィルム上をユーザがタッチすると、押された部分の配線がショートして電圧値が変わるため、これを２次元座標値（Ｘ，Ｙ）として検出する、いわゆる抵抗膜方式が広く用いられる。その他に、透明な導電性基盤のガラス面に電気信号を受ける物質を塗布し、指をガラス面に近づけると静電容量の変化を電気信号としてセンサで検知する、いわゆる静電容量方式を用いてもよい。メカニカルスイッチの他に、マウスやカーソル等のポインティングデバイスを用いてもよい。
【００５６】
また、マイク３１および音声認識ユニット３０を用いて種々の指示を入力することも可能である。これは、マイク３１から入力された音声信号を、音声認識ユニット３０において周知の隠れマルコフモデル等の音声認識技術により処理を行ない、その結果に応じた操作コマンドに変換するものである。これら操作スイッチ群７、リモコン端末１２、マイク３１によって、種々の指示を入力することが可能である。また、メータ５０のマイク５１を用いてもよい。
【００５７】
送受信機１３は、例えばＶＩＣＳ（Vehicle  Information  and  Communication  System：道路交通情報通信システム）センタ１４から道路交通情報を受信するための装置である。
【００５８】
また、ＥＴＣ（自動料金収受システム，ＥＴＣ：Electronic  Toll  Collection）車載器１６と通信することにより、ＥＴＣ車載器１６がＥＴＣ路上器（図示せず）から受信した料金情報などを本ナビゲーション装置１００に取り込むことができる。また、ＥＴＣ車載器１６によって外部ネットワークと接続し、ＶＩＣＳセンタ１４との通信を行なう構成をとってもよい。
【００５９】
本発明の文字列変換手段である制御回路８は通常のコンピュータとして構成されており、周知のＣＰＵ８１，ＲＯＭ８２，ＲＡＭ８３，入出力回路であるＩ／Ｏ８４およびこれらの構成を接続するバスライン８５が備えられている。ＣＰＵ８１は、ＨＤＤ２１に記憶されたナビプログラム２１ｐおよびデータにより制御を行なう。また、ＨＤＤ２１へのデータの読み書きの制御はＣＰＵ８１によって行なわれる。Ａ／Ｄ変換部８６は周知のＡ／Ｄ（アナログ／デジタル）変換回路を含み、例えば位置検出器１などから制御回路８に入力されるアナログデータをＣＰＵ８１で演算可能なデジタルデータに変換するものである。ＲＯＭ８２に、ＨＤＤ２１が故障した場合にナビゲーション機能のうちで必要最低限の動作を行なうためのプログラムを記憶しておいてもよい。
【００６０】
描画部８７は、ＨＤＤ２１等に記憶された表示用のデータや表示色のデータから表示器１０あるいはメータ５０のナビゲーション表示領域６６に表示させるための描画データを生成する。
【００６１】
本発明の文字列変換データベース，地図データ記憶手段であるＨＤＤ２１には、ナビプログラム２１ｐの他に位置検出の精度向上のためのいわゆるマップマッチング用データ、道路の接続を表した道路データを含む地図データ２１ｍが記憶される。地図データ２１ｍは、表示用となる所定の地図画像情報を記憶するとともに、リンク情報やノード情報等を含む道路網情報を記憶する。リンク情報は、各道路を構成する所定の区間情報であって、位置座標、距離、所要時間、道幅、車線数、制限速度等から構成される。また、ノード情報は、交差点（分岐路）等を規定する情報であって、位置座標、右左折車線数、接続先道路リンク等から構成される。また、リンク間接続情報には、通行の可不可を示すデータなどが設定されている。
【００６２】
また、ＨＤＤ２１には経路案内の補助情報や娯楽情報、その他にユーザが独自にデータを書き込むことができ、ユーザデータ２１ｕとして記憶される。これらのユーザデータ２１ｕは、操作スイッチ群７，タッチパネル２２およびリモコン端末１２の操作あるいはマイク３１からの音声入力によって内容の書き換えが可能である。また、ナビゲーション装置１００の動作に必要なデータや各種情報をデータベース２１ｄとして記憶してもよい。
【００６３】
また、地図データ２１ｍおよびユーザデータ２１ｕは、地図データ入力器６を介して記憶媒体２０からそのデータの追加・更新を行なうことが可能である。記憶媒体２０は、そのデータ量からＣＤ−ＲＯＭやＤＶＤを用いるのが一般的であるが、例えばメモリカード等の他の媒体を用いてもよい。
【００６４】
不揮発メモリ９はＥＥＰＲＯＭやフラッシュメモリ等の書き換え可能な半導体メモリによって構成され、ナビゲーション装置１００の動作に必要な情報およびデータが記憶されている。なお、不揮発メモリ９は、車両のアクセサリスイッチがオフ状態すなわち、ナビゲーション装置１００がオフ状態になっても、記憶内容が保持されるようになっている。
【００６５】
また、不揮発メモリ９の代わりにナビゲーション装置１００の動作に必要な情報およびデータをＨＤＤ２１に記憶してもよい。さらに、ナビゲーション装置１００の動作に必要な情報およびデータを不揮発メモリ９とＨＤＤ２１に分けて記憶してもよい。
【００６６】
表示器１０は周知のカラー液晶表示器で構成され、ドット・マトリックスＬＣＤ（Liquid  Crystal  Display）およびＬＣＤ表示制御を行なうための図示しないドライバ回路を含んで構成されている。ドライバ回路は、例えば、画素毎にトランジスタを付けて目的の画素を確実に点灯させたり消したりすることができるアクティブマトリックス駆動方式が用いられ、制御回路８から送られる表示指令および表示画面データに基づいて表示を行なう。また、表示器１０として有機ＥＬ（ElectroLuminescence：電界発光）表示器，プラズマ表示器を用いてもよい。
【００６７】
スピーカ１５は制御回路８のＩ／Ｏ８４に接続される周知の音声合成回路２４に接続され、ナビプログラム２１ｐの指令によって不揮発メモリ９あるいはＨＤＤ２１に記憶されるデジタル音声データを音声合成回路２４においてアナログ音声に変換したものが送出される。なお、音声合成の方法には、音声波形をそのままあるいは符号化して蓄積しておき、必要に応じて繋ぎあわせる録音編集方式などがある。また、メータ５０のスピーカ５２を用いてもよい。
【００６８】
車速センサ２３は周知のロータリエンコーダ等の回転検出部を含み、例えば車輪取り付け部付近に設置されて車輪の回転を検出してパルス信号として制御回路８に送るものである。制御回路８では、その車輪の回転数を車両の速度に換算して、車両の現在位置から所定の場所までの予想到達時間を算出したり、車両の走行区間毎の平均車速を算出する。
【００６９】
本発明の送信手段であるＬＡＮ  Ｉ／Ｆ２６は車内ＬＡＮ２７とのデータの遣り取りを行なうためのインターフェース回路である。また、ＬＡＮ  Ｉ／Ｆ２６を介して車速センサ２３からのデータ取り込み、あるいはＥＴＣ車載器１６との接続を行なってもよい。
【００７０】
このような構成を持つことにより、ナビゲーション装置１００は、制御回路８のＣＰＵ８１によりナビプログラム２１ｐが起動されると、ユーザが操作スイッチ群７，タッチパネル２２、リモコン端末１２の操作あるいはマイク３１からの音声入力によって、表示器１０上に表示されるメニューから目的地経路を表示器１０に表示させるための経路案内処理を選択した場合、次のような処理を実施する。
【００７１】
すなわち、ユーザが地図上の任意の地点あるいは施設検索や住所検索、ユーザが設定した登録地などから地点を選択して目的地として設定すると、位置検出器１により車両の現在位置が求められ、該現在位置から目的地までの最適な案内経路を求める処理が行われる。そして、表示器１０上の道路地図に案内経路を重ねて表示し、ユーザに適切な経路を案内する。このような自動的に最適な案内経路を設定する手法は、ダイクストラ法等の手法が知られている。また、表示器１０およびスピーカ１５の少なくとも一方によって、操作時のガイダンスや動作状態に応じたメッセージの報知を行なう。
【００７２】
図７を用いて、メータ５０で表示するための文字列変換処理について説明する。なお、本処理はナビプログラム２１ｐに含まれ、ナビプログラム２１ｐの他のプログラムとともに繰り返し実行される。まず、位置検出器１によって検出された車両の現在位置に基づいて地図データ２１ｍから車両の現在位置周辺の地図情報を取得し（Ｓ１）、ナビゲーション装置１００の表示器１０に表示するためのナビ用地図描画データを作成する（Ｓ２）。なお、これらのステップＳ１，Ｓ２は、ナビゲーション装置１００においては周知のものである。
【００７３】
次に、車内ＬＡＮ２７を介してメータＥＣＵ４０（図７ではメータ）がナビ表示すなわちナビ用地図描画データを要求しているかを調べる。車内ＬＡＮ２７を介してメータＥＣＵ４０から送られてくるデータはＲＡＭ８３の所定の領域に格納される。ナビ表示の要求の有無は該データに含まれるナビ表示要求フラグによって表され、ナビ表示の要求がある場合はナビ表示要求フラグがセットされる。
【００７４】
ナビ表示の要求がある場合（Ｓ３：Ｙｅｓ）、地図データ２１ｍに含まれる文字列変換データベースを参照し、先に作成されたナビ用地図描画データに含まれる文字列をメータ５０で表示するための文字列に変換して、メータ用地図描画データを作成する（Ｓ５）。
【００７５】
図５，図６に文字列変換データベースの一例を示す。図５はナビゲーション装置１００の表示器１０で表示するためのナビ表示用文字列と、メータ５０で表示するためのメータ表示用文字列とを別個に記憶しておいて、表示対象機器に応じた文字列に変換するものである。地図データ２１ｍはナビ表示用文字列を含んで記憶されているので、メータＥＣＵ４０からナビ表示の要求があった場合は、表示する地図の範囲に含まれるナビ表示用文字列のＩＤを調べ、そのＩＤに対応するメータ表示用の文字列を図５の文字列変換データベースから取得する。例えば、ナビ用地図描画データで「昭和町１丁目」と表示される文字列は、メータ５０用地図描画データでは「昭和町１」に変換される。
【００７６】
文字列変換データベースと地図データを一体化して、ＨＤＤ２１の地図データ２１ｍあるいはデータベース２１ｄにデータベースとして記憶する構成としてもよい。つまり、ナビ用地図描画データとメータ用地図描画データが別個に記憶される。他に表示器がある場合は、表示用文字列とともに該表示器に対応する地図描画データも記憶される。この場合、メータＥＣＵ４０からナビ表示の要求があった場合は、メータ表示用の地図データからメータ５０で表示する範囲を選んでメータ用地図描画データを作成する。
【００７７】
図６はナビ表示用文字列の種別に基づいて文字列の変換を行なうものである。ナビ表示用文字列は、ＩＤ，種別，別称，ランクとともに記憶される。種別は地名や施設のジャンル毎に定義される。別称はある場合は記憶され、ない場合は「なし」と記憶される。ランクはメータ５０で表示する場合の優先順位を表したものである。例えば、メータ用地図描画データ「昭和町１丁目」と「刈谷郵便局」の表示が重なってしまう場合、ランクのより高い「昭和町１丁目」（ランクＡ）のみを表示し、ランクのより低い「刈谷郵便局」（ランクＣ）は表示しない。また、例えば「ランクＤ」として「文字なし」の文字列に変換する、すなわち当該文字列をメータ５０で表示しないランクを設定してもよい。
【００７８】
ナビ表示用文字列からメータ表示用文字列への変換は例えば以下のように行なう。
（１）別称があるものは別称に変換する。
（２）地図記号のあるものは地図記号に変換する。
（３）住所は「丁目」，「番地」を省略する変換を行なう。
（４）「名古屋市美術館」のように自治体名が含まれるものは「美術館」のように自治体名を省略する変換を行なう。
【００７９】
そして、変換された文字列と地図データとを合わせてメータ用地図描画データを作成する。作成されたメータ用地図描画データは車内ＬＡＮ２７を介してメータＥＣＵ４０に送られる（Ｓ６）。また、ナビゲーション装置１００の表示器１０には、ステップＳ２で作成されたナビ用地図描画データを表示する（Ｓ４）。
【００８０】
一方、ナビ表示の要求がない場合（Ｓ３：Ｎｏ）は、ナビゲーション装置１００の表示器１０にステップＳ２で作成されたナビ用地図描画データを表示する（Ｓ４）。
【００８１】
ナビ用地図描画データに含まれる文字列をメータ５０で表示するための文字列に変換してメータ用地図描画データを送るタイミングは、ナビ表示の要求があるようなイベント起動型の他に、ナビ表示の要求の有無を条件に用いず、一定周期のような所定のタイミングで文字列への変換，メータＥＣＵ４０への送信を行なう方法としてもよい。
【００８２】
図８を用いて、メータＥＣＵ４０におけるメータ表示用データの描画処理について説明する。本処理はメータ制御プログラム４１ｐに含まれ、メータ制御プログラム４１ｐの他のプログラムとともに繰り返し実行される。まず、メータ５０でナビ表示が必要かどうかを調べ、ナビ表示が必要な場合（Ｓ１１：Ｙｅｓ）には、ナビゲーション装置１００（ナビ）に地図情報すなわちメータ用地図描画データを要求するナビ表示要求を車内ＬＡＮ２７を介して送る（Ｓ１２）。
【００８３】
ナビゲーション装置１００では、図６のステップＳ５，Ｓ６の処理が行われ、メータ用地図描画データが送られてくるのでこれを取得する（Ｓ１３）。そして、描画部４３において取得したメータ用地図描画データを車速計等の他の描画データと合わせてメータ表示用データを作成してメータ５０に送る。メータ５０はメータＥＣＵ４０から送られてきたメータ表示用データを表示する（Ｓ１４）。
【００８４】
図９は従来技術によるメータ５０における表示例である。図９の例では、水温表示領域６１，車速表示領域６２，シフトポジション等表示領域６３，エンジン回転数表示領域６４，燃料計表示領域６５，ナビゲーション表示領域６６が含まれている。従来技術ではナビ用地図描画データ（ナビ表示用文字列）とメータ用地図描画データ（メータ表示用文字列）とは同一であるため、ナビゲーション表示領域６６では、ナビゲーション装置１００と同様の文字列が表示されている。
【００８５】
図１０は本発明の構成によるメータ５０における表示例である。ナビ表示用文字列は別称，ランク等の条件を含んでメータ表示用文字列に変換され、「昭和町１」のみが表示されている。
【００８６】
メータ表示用文字列に変換する場合、文字色，文字の大きさ，フォント，文字の修飾（立体表示，影付，縁取りなど）等の表示意匠を変換してもよい。例えば図６の文字列変換データベースには変換後の文字色，変換後の文字の大きさ（拡大／縮小率），フォント，文字の修飾等が登録される。また、文字列の種別等によらず、一律に表示意匠を変換してもよい。
【００８７】
文字列変換の条件に動的情報を含めてもよい。動的情報には、位置検出器１により検出される車両の現在位置，車速センサ２３により検出される車速，表示器１０に表示される地図の粗密や縮尺，走行道路，ＧＰＳ受信機５等から取得される時間，ＶＩＣＳセンタ１４等から取得する天候，ユーザによる設定等がある。これら動的情報に基づいて、表示すべき文字列の取捨選択や表示方法の変更を行なう。例えば、車両の現在位置が市街地の場合、地名や施設が多く表示される文字が重なる可能性が高いので、地名の表示を優先する等の、変換する文字列のランクの閾値を高くして表示する文字列を少なくする。また。車速が速い場合には表示の変化も速くなるので、走行経路周辺の地名・施設の表示を優先する等の、変換する文字列のランクの閾値を高くして表示する文字列を少なくする。
【００８８】
（変形例１）
メータＥＣＵ４０で文字列変換処理を行なう構成を用いてもよい。本構成の場合、ナビプログラム２１ｐでは図７のステップＳ５は行なわれず、ナビ用地図描画データがそのままメータＥＣＵ４０へ送られる。メータ制御プログラム４１ｐにおいて、図８のステップＳ１３の後に、ナビプログラム２１ｐでは行なわれない図７のステップＳ５に相当するメータ用地図描画データ作成が実行され、ナビ用地図描画データに含まれる文字列の変換を行ない、メータ用地図描画データが作成される。また、文字列変換データベースは外部メモリ４５に記憶される。
【００８９】
（変形例２）
ナビゲーション装置１００とメータＥＣＵ４０との両方で文字列変換処理を行なう構成を用いてもよい。本構成の場合、メータ制御プログラム４１ｐにおいて、図８のステップＳ１３の後に、図７のステップＳ５に相当するメータ用地図描画データ作成が実行され、ナビゲーション装置１００から送られてきた文字列変換済みのメータ用地図描画データに含まれる文字列の変換を再度行ない、新たなメータ用地図描画データが作成される。また、文字列変換データベースは外部メモリ４５にも記憶される。
【００９０】
以上、本発明の実施の形態を説明したが、これらはあくまで例示にすぎず、本発明はこれらに限定されるものではなく、特許請求の範囲の趣旨を逸脱しない限りにおいて、当業者の知識に基づく種々の変更が可能である。
【図面の簡単な説明】
【００９１】
【図１】車両用表示システムの全体構成を示す図。
【図２】メータＥＣＵおよびメータの構成を示すブロック図。
【図３】車載用ナビゲーション装置の構成を示すブロック図。
【図４】メータの断面を示す図。
【図５】文字列変換データベースの一例を示す図。
【図６】文字列変換データベースの別の例を示す図。
【図７】車載用ナビゲーション装置における文字列変換処理を説明するためのフロー図。
【図８】メータＥＣＵにおける描画処理を説明するためのフロー図。
【図９】従来技術によるメータにおける表示例を示す図。
【図１０】本発明の構成によるメータにおける表示例を示す図。
【符号の説明】
【００９２】
１  位置検出器（動的情報取得手段）
８  制御回路（文字列変換手段）
１０  表示器
１３  送受信機（動的情報取得手段）
２１  ハードディスク装置（文字列記憶手段，文字列変換手段，文字列変換データベース，地図データ記憶手段）
２３  車速センサ（動的情報取得手段）
２６  ＬＡＮ  Ｉ／Ｆ（送信手段）
２７  車内ＬＡＮ（送信手段，受信手段）
４０  メータＥＣＵ
４１  制御部（メータ文字列変換手段）
４４  ＬＡＮ  Ｉ／Ｆ（受信手段）
４５  外部メモリ（文字列記憶手段，メータ文字列変換データベース）
５０  メータ
５４  表示器
１００  車載用ナビゲーション装置
【図１】
0004419195.tif 000002
【図２】
0004419195.tif 000003
【図３】
0004419195.tif 000004
【図４】
0004419195.tif 000005
【図５】
0004419195.tif 000006
【図６】
0004419195.tif 000007
【図７】
0004419195.tif 000008
【図８】
0004419195.tif 000009
【図９】
0004419195.tif 000010
【図１０】
0004419195.tif 000011